(57)【要約】【課題】  ディスプレイ画像の移動による回転式サインポールを提供する。【解決手段】  透明な素材からなる円筒状の枠の内側に円筒体ディスプレイを有し、表面には、赤、白、青の帯状模様が螺旋状に施された画像を有し、円筒状の枠の下部位に基台を設け、内部にはＤＶＤ、メモリ等を挿入するための再生装置を設け、ＤＶＤ、メモリ等による画像の移動を特徴とした画像の移動式サインポール。  平面体ディスプレイにおいても、ＤＶＤ，メモリ等による画像の移動を特徴とした画像の移動式サインポール。【選択図】図１
2011209666.tif 000002
【特許請求の範囲】
【請求項１】
透明な素材からなる円筒状の枠の内側に円筒体ディスプレイを有し、表面には、赤、白、青の帯状模様が螺旋状に施された画像を有し、円筒状の枠の下部位に基台を設け、内部にはＤＶＤ、メモリ等を挿入するための再生装置を設け、ＤＶＤ、メモリ等による画像の移動を特徴とした画像の移動式サインポール。
【請求項２】
平面体ディスプレイにおいても、ＤＶＤ、メモリ等による画像の移動を特徴とした画像の移動式サインポール。
【発明の詳細な説明】
【技術分野】
【０００１】  本発明は、理容店の店頭に設けられているサインポールに、ＤＶＤ、メモリ等に記憶させた画像の移動式サインポールに関するものである。
【背景技術】
【０００２】  従来、理容店の店頭に設けられているサインポールは、透明な縦長の円筒体よりなり、内部にはモーターによる回転体を設けている。
その表面には、赤、白、青の帯状模様が螺旋状に施されている。
さらに、回転体内部には、照明具として蛍光灯などが収納されている。
店頭等に設置されてその店の案内、広告等を行うディスプレイ装置が提案されている。（特許文献１参照）
従来の各種サインポールの問題点を解決して非常に斬新で人目をひき、しかも製作容易なサインポールを提供することである。（特許文献２参照）
【先行技術文献】
【０００３】
【特許文献１】  特開平１０−１１００４公報
【特許文献２】  実開平７−１０７７９号公報
【発明の概要】
【発明が解決しょうとする課題】
【０００４】  そのために次のような問題点があった。
モーターの異変などにより、音や振動を初め回転速度にも変化が生じるのである。
照明具として回転体内に収納されている。
蛍光灯などの取り外しが面倒である、といった問題点がある。
鮮明さにおいても、蛍光灯の変化により看者に与えるインパクトなどが小さくなる欠点がある。
本発明は、以上の問題点を解決するためになされたものである。
【課題を解決するための手段】
【０００５】  透明な素材からなる円筒状の枠の内側に円筒体ディスプレイを有し、表面には、赤、白、青の帯状模様が螺旋状に施された画像を有し、円筒状の枠の下部位に基台を設ける。
内部には、ＤＶＤ、メモリ等を挿入するための再生装置を設ける。
ＤＶＤ、メモリ等による画像の移動を特徴とした画像の移動式サインポール。
平面体ディスプレイにおいても、ＤＶＤ，メモリ等による画像の移動を特徴とした画像の移動式サインポール。
【発明の効果】
【０００６】  本発明は、従来のモーターや回転体の構造、照明具として収納されている蛍光灯などの仕組みを取り外すため構造が簡単で済み、装置としてのトラブルが全て解決することができる。
また、鮮明さにおいても、従来の蛍光灯に変わり液晶ディスプレイ等により数十倍もの明るさになり美麗で看者に対して充分なインパクトを与えることができるのである。
なおディスプレイにおいては、円筒体に限らず平面体等種々の形をした画面に映し出すことができる。
さらに、再生装置に挿入させるＤＶＤ、メモリ等においても種類を変えることによって、種々の画像を表示することができる。
【図面の簡単な説明】
【０００７】
【図１】  本発明の実施の形態を示した正面図である。
【図２】  本発明の図１における縦断面図である。
【図３】  本発明の図１における横断図である。
【図４】  本発明の図１における円筒体ディスプレイの斜視図である。
【図５】  本発明の平面体ディスプレイの形態を示した正面図である。
【発明を実施するための形態】
【０００８】  以下、本発明の実施の形態について説明する。
図１は、本発明の実施の形態を示した正面図である。
図２は、本発明の図１における縦断面図である。
図３は、本発明の図１における横断図である。
図４は、本発明の図１における円筒体ディスプレイの斜視図である。
図５は、本発明の平面体ディスプレイの形態を示した正面図である。
本体（Ａ）、基台（１）に円筒状（２）の枠を設ける。
円筒状の枠（２）内に、円筒体ディスプレイ（３）を設ける。
基台（１）は底板（４）を有し、不透明な素材などで構成し、なお基台（１）の内側には再生装置（５）を取り付ける。
画像を記憶したＤＶＤ、メモリ等などの挿入口（１３）を設ける。
基台（１）の上に円筒状の枠（２）が固定され、この円筒状の枠（２）は、透明な素材（合成樹脂）などの内部が見えるように形成されている。
また、円筒状の枠（２）の上部には上蓋（９）が取り付けられ雨水などの浸入を防止している。
円筒体ディスプレイ（３）は、円筒状の枠（２）の内側に設け、円筒体ディスプレイ（３）の上先端は上部支持板（６）に下先端は下部支持板（７）に固定し、さらに円筒体ディスプレイ（３）の内側には補強支柱（８）があり、下部支持板（７）に設けられ上部支持板（６）にわたって配設され一体に結合している。
ディスプレイにおいては、円筒体に限らず平面体等種々のものが適用され得るもので、上蓋においても種々の装飾形等も適用される。
平面体ディスプレイにおいては、種々立体的な画像等を記憶したＤＶＤ，メモリ等によって映し出す事が出来る。
ＤＶＤ、メモリ等に、赤、白、青の帯状模様が螺旋状に施された画像を記憶させ円筒体ディスプレイ（３）に映し出し、その映し出された画像を円筒体ディスプレイ（３）下部位より上部位に向かって移動させることを特徴とした、画像の移動式サインポールである。
かつ円筒体ディスプレイ（３）に映し出された画像移動速度の変更など操作することができるのである。
このサインポールの作用を説明する。
サインポール（Ａ）の使用においては、電源（１４）を入れることによって、基台（１）の内側に取り付けられている再生装置（５）や円筒状の枠（２）の内側に設けられている円筒体ディスプレイ（３）に通電される、
再生装置（５）に画像を記憶したＤＶＤ、メモリ等などを挿入することによって、円筒体ディスプレイ（３）の表面には、その全周にわたって、赤、白、青の帯状模様が螺旋状に施された画像が映し出される、
その映し出された画像を円筒体ディスプレイ（３）下部位より上部位に向かって上昇移動させることで、回転筒を表現することができる。
鮮明さにおいても液晶等のディスプレイなので、従来の蛍光灯等よりも数十倍もの明るさがあり、美麗で看者に対しても充分なインパクトを与えることが可能となりサインポールとしての効果が大きいものとなる。
【符号の説明】
【０００９】  １  基台
２  円筒状の枠
３  円筒体ディスプレイ
４  底板
５  再生装置
６  上部支持板
７  下部支持板
８  補強支柱
９  上蓋
１０  赤帯状模様
１１  白帯状模様
１２  青帯状模様
１３  ＤＶＤ、メモリ挿入口
１４  電源
１５  平面体ディスプレイ
【図１】
2011209666.tif 000003
【図２】
2011209666.tif 000004
【図３】
2011209666.tif 000005
【図４】
2011209666.tif 000006
【図５】
2011209666.tif 000007